(57)【要約】【課題】エレベータ用表示器における複数種類の表示を行なうための必要面積を最小限とし、取り付け対象の壁面の大幅な加工を不要とする。【解決手段】乗りかごの上昇方向表示、下降方向表示および点検中表示のいずれかを行なために筐体１を壁２に沿って取り付ける。筐体１の側板４を取り外した状態では筐体１に対して導光板を着脱でき、発光ダイオードを実装した基板を着脱できる。ここでは上昇方向表示に用いる第１導光板１１、下降方向表示に用いる第２導光板１２および点検中表示に用いる第３導光板１３を用い、これらが第１導光板１１に第２導光板１２および第３導光板１３の順で積層されるように筐体１に装填する。また、緑色発光ダイオード２１、赤色発光ダイオード２２および黄色発光ダイオード２３をそれぞれの導光板の下部に配置し、所望の発光ダイオードを点灯させることで上部の導光板に光を照射する。【選択図】      図２
2007076910.tif 000002
【特許請求の範囲】
【請求項１】
複数枚積層されて筐体に取り付けられ、それぞれの表面に固有のパターンが形成される導光板と、
それぞれの導光板に対応して設けられ、通電にともなって前記導光板の端面に光を照射する発光ダイオードと、
前記複数の導光板のうちいずれかに対応して設けられる発光ダイオードを通電させることで当該通電させた発光ダイオードに対応して設けられる導光板に形成されたパターンを表示させる制御手段と
を備えたことを特徴とするエレベータ用表示器。
【請求項２】
前記通電した発光ダイオードから発せられる光の色は当該通電した発光ダイオードと対応して設けられる導光板ごとに異なることを特徴とする請求項１に記載のエレベータ用表示器。
【請求項３】
前記通電した発光ダイオードは複数種類の色のうち少なくとも１種類の色の光を発し、
前記制御手段は、前記複数種類の色のうち予め選択した少なくとも１種類の色の光が前記発光ダイオードから発せられるように当該発光ダイオードを通電させることを特徴とする請求項１に記載のエレベータ用表示器。
【請求項４】
前記それぞれの導光板は前記筐体に対して着脱可能であることを特徴とする請求項１に記載のエレベータ用表示器。
【請求項５】
前記発光ダイオードを実装した基板は前記筐体に対して着脱可能であることを特徴とする請求項１に記載のエレベータ用表示器。
【発明の詳細な説明】
【技術分野】
【０００１】
本発明は、エレベータの乗場などに設置されるエレベータ用表示器に関する。
【背景技術】
【０００２】
従来のエレベータ用表示器の外観の一例を図８に示す。図９は、従来のエレベータ用表示器の内部構成の一例を示す側面図である。このエレベータ用表示器はエレベータ乗場に設けられる。エレベータ用表示器の表面板７１には透明な上昇方向表示板７２および下降方向表示板７３が埋め込まれる。
【０００３】
このエレベータ用表示器は筐体７４の開口部に表示板７１が取り付けられて、この筐体７４が乗場の壁２に埋め込まれる構成である。筐体７４の内部における上昇方向表示板７２の後方には白熱灯７５を装着するためのソケット７６が取り付けられる。また、筐体７４の内部における下降方向表示板７３の後方には白熱灯７７を装着するためのソケット７８が取り付けられる。
【０００４】
乗場の壁２には外部から昇降路内部へ貫通する穴が設けられ、この穴と連なって筐体７４の内部に貫通する穴が当該筐体７４にも設けられる。ソケット７６，７８には電線７９が取り付けられる。この電線７９は乗場の壁２と筐体７４の穴を介して昇降路内部の駆動装置８０と接続される。また、筐体７４の内部には上部の白熱灯７５からの光が下降方向表示板７３に照射されないようにするための仕切り板８１が設けられる。
【０００５】
このような構成のエレベータ用表示器では、上昇方向表示を行なうために駆動装置８０が白熱灯７５への通電を行なうことで当該白熱灯７５を点灯させて上昇方向表示板７２に光を照射させる。また、下降方向表示を行なうために駆動装置８０が白熱灯７７への通電を行なうことで当該白熱灯７７を点灯させて下降方向表示板７３に光を照射させる。
【０００６】
また、エレベータ用表示器としては例えば特許文献１に開示されたように光源として発光ダイオードを用いたものがある。発光ダイオードは白熱灯と比較して駆動電流が低く、使用寿命が長いという利点がある。
【特許文献１】特開平６−１５６８９８号公報
【発明の開示】
【発明が解決しようとする課題】
【０００７】
前述したようなエレベータ用表示器では表示板を表示種類ごとに設ける必要があり、これらの表示板に対する個別の光源が必要となるので、表示種類が多くなるほど表示器のサイズが大きくなってしまう。
【０００８】
また、このようなエレベータ用表示器では表示板から後方の位置に光源を取り付けているので、表示器全体の奥行きが長くなってしまう。このようなエレベータ用表示器を乗場の壁に取り付けるためには乗客による使い勝手や意匠面を考慮して乗場の壁を加工することで凹部を形成し、この凹部に表示器の筐体を埋め込む必要があった。
【０００９】
そこで、本発明の目的は、複数種類の表示を行なうための必要面積を最小限とし、取り付け対象の壁面の大幅な加工が不要であるエレベータ用表示器を提供することにある。
【課題を解決するための手段】
【００１０】
すなわち、本発明に係わるエレベータ用表示器は、複数枚積層されて筐体に取り付けられ、それぞれの表面に固有のパターンが形成される導光板と、それぞれの導光板に対応して設けられ、通電にともなって導光板の端面に光を照射する発光ダイオードとを備え、複数の導光板のうちいずれかに対応して設けられる発光ダイオードを通電させることで当該通電させた発光ダイオードに対応して設けられる導光板に形成されたパターンを表示させることを特徴とする。
【発明の効果】
【００１１】
本発明に係わるエレベータ用表示器では、複数枚積層されて筐体に取り付けられ、それぞれの表面に固有のパターンが形成される導光板と、それぞれの導光板に対応して設けられ、通電にともなって導光板の端面に光を照射する発光ダイオードとを備え、複数の導光板のうちいずれかに対応して設けられる発光ダイオードを通電させることで当該通電させた発光ダイオードに対応して設けられる導光板に形成されたパターンを表示させるので、エレベータ用表示器における複数種類の表示を行なうための必要面積を最小限とし、取り付け対象の壁面の大幅な加工を不要とすることができる。
【発明を実施するための最良の形態】
【００１２】
以下図面により本発明の実施形態について説明する。  
（第１の実施形態）
まず、本発明の第１の実施形態について説明する。  
図１は、本発明の第１の実施形態にしたがったエレベータ用表示器の構成例を示す切り欠き図である。図２は、本発明の第１の実施形態にしたがったエレベータ用表示器の構成例を示す側面図である。  
このエレベータ用表示器は乗りかごの上昇方向表示、下降方向表示、点検中表示のいずれかを行なう。
【００１３】
このエレベータ用表示器の筐体１は開口部を有する直方体状の筐体である。筐体１はこの開口部と対向する板を乗場の壁２と接触させてネジ止めなどにより取り付けられる。この開口部にはエレベータ用表示器の表示面となる透明な保護カバー３が当該開口部を覆うように取り付けられる。
【００１４】
筐体１の壁２と接触する板と垂直に連なる板の１つである側板４は取り外し可能である。また、筐体１内には当該筐体１内を上室および下室に区分するための透明な仕切り板５が底面と平行に備えられる。筐体１の上室は導光板を当該筐体１の底面と平行させて３枚積層させて装填するための室である。筐体１の下室は光源となる発光ダイオードを実装した回路基板を装填するための室である。
【００１５】
図２では筐体１の側板４を取り外した状態で３枚の導光板と回路基板を装填した状態を示す。この状態では作業者は仕切り板５の上部にある上室に対して導光板を装填したり取り外したりでき、また、仕切り板５の下部にある下室に対して発光ダイオードを実装した基板を装填したり取り外したり出来る。
【００１６】
このエレベータ用表示器では上昇方向表示に用いる第１導光板１１、下降方向表示に用いる第２導光板１２および点検中表示に用いる第３導光板１３を備える。具体的にはこれらの導光板は保護カバー３に第１導光板１１が沿うように、また、第１導光板１１に対し第２導光板１２および第３導光板１３が第２導光板１２、第３導光板１３の順で積層されるように筐体１の上室に装填される。
【００１７】
第１導光板１１にはこの下端面に光を照射した際に保護カバー３に上昇方向を示す三角形マークが写るような凹凸パターン１４が形成される。第２導光板１２にはこの下端面に光を照射した際に保護カバー３に下降方向を示す逆三角形マークが写るような凹凸パターン１５が形成される。また、第３導光板１３にはこの下端面に光を照射した際に保護カバー３に点検中を示す文字が写るような凹凸パターン１６が形成される。ここでは点検中を示す文字は“点検中”である。
【００１８】
このエレベータ用表示器では第１導光板１１に対する光源として緑色発光ダイオード２１を用い、第２導光板１２に対する光源として赤色発光ダイオード２２を用い、第３導光板１３に対する光源として黄色発光ダイオード２３を用いる。
【００１９】
このエレベータ用表示器ではこれらの発光ダイオードを各種導光板の下端面の下部に配置するために、まず複数の緑色発光ダイオード２１を横長のプリント基板２４の長辺に沿うように一列に実装する。また、このプリント基板２４上の緑色発光ダイオード２１の実装エリアに沿うように赤色発光ダイオード２２を一列に実装する。また、このプリント基板２４上の赤色発光ダイオード２２の実装エリアに沿うように黄色発光ダイオード２３を一列に実装する。
【００２０】
発光ダイオード２１，２２，２３を実装したプリント基板２４は黄色発光ダイオード２３の列における赤色発光ダイオード２２の列を向く側と反対側を壁２に向けて筐体１の下室に装填する。プリント基板２４上の発光ダイオード２１，２２および２３の間隔は第１導光板１１、第２導光板１２および第３導光板１３を前述した順番で筐体１の上室に装填してプリント基板２４を筐体１の下室に前述した向きで装填した場合に、緑色発光ダイオード２１の上面が第１導光板１１の下端面と対向し、赤色発光ダイオード２２の上面が第２導光板１２の下端面と対向し、黄色発光ダイオード２３の上面が第３導光板１３の下端面と対向する間隔とする。
【００２１】
また、筐体１に装填したプリント基板２４上の緑色発光ダイオード２１の実装エリアおよび赤色発光ダイオード２２の実装エリアを区分するように遮光板２５が筐体１の仕切り板５の下面から下方に向かって取り付けられる。そして、プリント基板２４上の赤色発光ダイオード２２の実装エリアおよび黄色発光ダイオード２３の実装エリアを区分するように遮光板２６が筐体１の仕切り板５の下面から下方に向かって取り付けられる。
【００２２】
これにより、筐体１の下室に装填したプリント基板２４上の緑色発光ダイオード２１からの光は第１導光板１１以外の導光板には照射されず、赤色発光ダイオード２２からの光は第２導光板１２以外の導光板に照射されず、さらに黄色発光ダイオード２３からの光は第３導光板１３以外の導光板に照射されない。
【００２３】
図３は、本発明の第１の実施形態にしたがったエレベータ用表示器の内部回路の構成の概略の一例を示すブロック図である。  
乗場の壁２には外部から昇降路内部へ貫通する穴が設けられ、筐体１における壁２と接触する側板には壁２の穴と連なって当該筐体１の内部へ貫通する穴が設けられる。緑色発光ダイオード２１、赤色発光ダイオード２２および黄色発光ダイオード２３はプリント基板２４、リード線、筐体１の穴および壁２の穴を介して昇降路内の図示しないエレベータ制御盤と接続される。
【００２４】
プリント基板２４には緑色発光ダイオード２１、赤色発光ダイオード２２、黄色発光ダイオード２３の他に第１入力回路３１、第２入力回路３２、第３入力回路３３、第１駆動回路３４、第２駆動回路３５、第３駆動回路３６および電源回路３７が実装される。電源回路３７は第１入力回路３１、第２入力回路３２、第３入力回路３３、第１駆動回路３４、第２駆動回路３５および第３駆動回路３６と接続される。
【００２５】
また、電源回路３７は緑色発光ダイオード２１、赤色発光ダイオード２２および黄色発光ダイオード２３の陰極と接続される。図３では緑色発光ダイオード２１、赤色発光ダイオード２２、黄色発光ダイオード２３を前述したようにプリント基板上２４に一列に並べたものを１つのユニットに簡略化して示す。
【００２６】
次に、本発明の第１の実施形態にしたがったエレベータ用表示器の動作について説明する。  
エレベータ制御盤は乗りかご内の行先階登録釦や運転モード切り替えスイッチなどの操作などにともない、上昇方向の表示に関する制御信号の第１入力回路３１への出力、下降方向の表示に関する制御信号の第２入力回路３２への出力、点検中の表示に関する制御信号の第３入力回路３３への出力のいずれかを行なう。
【００２７】
プリント基板２４の第１入力回路３１はエレベータ制御盤から上昇方向の表示に関する制御信号を入力すると、電圧変換を経て第１駆動回路３４を動作させる。この動作した第１駆動回路３４は緑色発光ダイオード２１の陽極への信号入力を行なって当該緑色発光ダイオード２１を点灯させる。
【００２８】
第２入力回路３２はエレベータ制御盤から下降方向の表示に関する制御信号を入力すると、電圧変換を経て第２駆動回路３５を動作させる。この動作した第２駆動回路３５は赤色発光ダイオード２２の陽極への信号入力を行なって当該赤色発光ダイオード２２を点灯させる。
【００２９】
第３入力回路３３はエレベータ制御盤から点検中の表示に関する制御信号を入力すると、電圧変換を経て第３駆動回路３６を動作させる。この動作した第３駆動回路３６は黄色発光ダイオード２３の陽極への信号入力を行なって当該黄色発光ダイオード２３を点灯させる。
【００３０】
緑色発光ダイオード２１が点灯すると、この点灯により発光した光が第１導光板１１の下端面に照射され、この照射された光が凹凸パターン１４で反射して保護カバー３に照射される。これにより表示器の表示面には上昇方向を示す三角形状のマークが表示される。
【００３１】
赤色発光ダイオード２２が点灯すると、この点灯により発光した光が第２導光板１２の下端面に照射され、この照射された光が凹凸パターン１５で反射して保護カバー３に照射される。これにより表示器の表示面には下降方向を示す逆三角形状のマークが表示される。
【００３２】
黄色発光ダイオード２３が点灯すると、この点灯により発光した光が第３導光板１３の下端面に照射され、この照射された光が凹凸パターン１６で反射して保護カバー３に照射される。これにより表示器の表示面には点検中を示す文字が表示される。
【００３３】
以上説明したように、本発明の第１の実施形態にしたがったエレベータ用表示器は、筐体に複数種類の導光板を積層させて装填し、各導光板の下部に発光ダイオードを位置させた上で、照射対象の導光板の下部に位置する発光ダイオードを点灯させることで、複数種類の導光板のうち所望の板の凹凸パターンで示された図形や文字が表示面に表示されるので、表示器の水平方向のサイズを大幅に薄くすることができる。これにより表示器をエレベータ乗場の壁２に取り付ける際に筐体の大きさに合わせて壁２を大幅に加工する必要がなくなる。また、光源として発光ダイオードを用いるので白熱灯と比較して使用電圧を低くすることができる上に使用寿命を長くすることができる。
【００３４】
（第２の実施形態）
次に、本発明の第２の実施形態について説明する。なお、本実施形態に係るエレベータ用表示器の構成は図１に示したものと基本的にほぼ同様であるので同一部分の説明は省略する。  
図４は、本発明の第２の実施形態にしたがったエレベータ用表示器の内部回路の一部の構成の概略の一例を示すブロック図である。
【００３５】
図４に示した回路は上昇方向の表示のために第１導光板１１に光を照射させる回路である。この回路は図３に示した回路と同様に第１入力回路３１、第２入力回路３２、第３入力回路３３、第１駆動回路３４、第２駆動回路３５および第３駆動回路３６および電源回路３７を備える。
【００３６】
この回路は図３に示した回路で備えられた緑色発光ダイオード２１に代えて３色発光ダイオード４８を備える。３色発光ダイオード４８は緑色、赤色、黄色の少なくとも１種類の色で発光するダイオードであり、第１，第２，第３陽極および第１，第２，第３陰極を備える。第１，第２，第３陰極は第１，第２，第３陽極のそれぞれと対となる極である。
【００３７】
第１駆動回路３４は３色発光ダイオード４８の第１陽極と接続される。第２駆動回路３５は３色発光ダイオード４８の第２陽極と接続される。第３駆動回路３６は３色発光ダイオード４８の第３陽極と接続される。３色発光ダイオード４８の第１，第２，第３陰極は電源回路３７と接続される。
【００３８】
エレベータ制御盤は乗りかご内の釦操作などがなされると、スイッチ切り替えなどにより予め設定された条件にしたがって緑色での上昇方向の表示に関する制御信号の第１入力回路３１への出力、赤色での上昇方向の表示に関する制御信号の第２入力回路３２への出力、黄色での上昇方向の表示に関する制御信号の第３入力回路３３への出力のいずれかを行なう。
【００３９】
第１入力回路３１はエレベータ制御盤から緑色での上昇方向の表示に関する制御信号を入力すると、電圧変換を経て第１駆動回路３４を動作させる。動作した第１駆動回路３４は３色発光ダイオード４８の第１陽極への信号入力を行なう。これにより３色発光ダイオード４８は緑色に点灯する。
【００４０】
第２入力回路３２はエレベータ制御盤から赤色での上昇方向の表示に関する制御信号を入力すると、電圧変換を経て第２駆動回路３５を動作させる。動作した第２駆動回路３５は３色発光ダイオード４８の第２陽極への信号入力を行なう。これにより３色発光ダイオード４８は赤色に点灯する。
【００４１】
第３入力回路３３はエレベータ制御盤から黄色での上昇方向の表示に関する制御信号を入力すると、電圧変換を経て第３駆動回路３６を動作させる。動作した第３駆動回路３６は３色発光ダイオード４８の第３陽極への信号入力を行なう。これにより３色発光ダイオード４８は黄色に点灯する。これにより、複数種類のうち所望の色により上昇方向の表示を行なうことができる。
【００４２】
また、ここでは上昇方向の表示に関する説明を行なったが、回路基板２４上に赤色発光ダイオード２２の代わりに３色発光ダイオード４８を備えた下降方向表示用の回路や黄色発光ダイオード２３の代わりに３色発光ダイオード４８を備えた点検中表示用の回路を実装した上で、この回路上の３色発光ダイオード４８からの光を第２導光板１２や第３導光板１３に照射させる構成とすれば発光色を複数種類のうち所望の色により下降方向の表示や点検中の表示を行なうことができる。
【００４３】
具体的には、３色発光ダイオード４８を用いた下降方向表示用の回路では、エレベータ制御盤は乗りかご内の釦操作などにともなって下降方向の表示を行なうために、スイッチ切り替えなどにより予め設定された条件にしたがって、緑色での下降方向の表示に関する制御信号の下降方向表示用の回路上の第１入力回路３１への出力、赤色での下降方向の表示に関する制御信号の第２入力回路３２への出力、黄色での下降方向の表示に関する制御信号の第３入力回路３３への出力のいずれかを行なう。
【００４４】
また、３色発光ダイオード４８を用いた点検中表示用の回路では、エレベータ制御盤は図示しない運転モード切り替えスイッチの操作にともなって点検中の表示を行なうためにスイッチ切り替えなどにより予め設定された条件にしたがって緑色での点検中を示す文字の表示に関する制御信号の点検中表示用の回路上の第１入力回路３１への出力、赤色での点検中を示す文字の表示に関する制御信号の第２入力回路３２への出力、黄色での点検中を示す文字に関する制御信号の第３入力回路３３への出力のいずれかを行なう。
【００４５】
（第３の実施形態）
次に、本発明の第３の実施形態について説明する。なお、本実施形態に係るエレベータ用表示器の構成は図１に示したものと基本的にほぼ同様であるので同一部分の説明は省略する。  
図５は、本発明の第３の実施形態にしたがったエレベータ用表示器での表示パターンの一例を示す図である。  
ここまで説明した構成では、複数種類のうち１種類の導光板に発光ダイオードからの光を照射したが、この実施形態では複数種類の導光板のそれぞれに発光ダイオードからの光を同時に照射する。
【００４６】
図６は、本発明の第３の実施形態にしたがったエレベータ用表示器の構成例を示す側面図である。  
このエレベータ用表示器は立ち入り禁止マークの外枠および立ち入り禁止の文字を組み合わせて表示する。
【００４７】
この実施形態では、筐体１は導光板を２枚積層させて装填するための上室、および光源となる発光ダイオードを装填するための下室に区分するための透明な仕切り板５を備える。
【００４８】
このエレベータ用表示器では立ち入り禁止マークの外枠の表示に用いる第１導光板５１、立ち入り禁止の文字の表示に用いる第２導光板５２を備える。具体的にはこれらの導光板は保護カバー３に第１導光板５１が沿って、この第１導光板５１に第２導光板５２が積層されるように筐体１の上室に装填される。
【００４９】
第１導光板５１には、この下端面に光を照射した際に保護カバー３に立ち入り禁止マークの外枠が写るような凹凸パターン５３が形成される。また、第２導光板５２には下部から光を照射した際に保護カバー３に立ち入り禁止の文字が写るような凹凸パターン５４が形成される。
【００５０】
このエレベータ用表示器では第１導光板５１に対する光源として赤色発光ダイオード６４を用い、第２導光板５２に対する光源として黄色発光ダイオード６５を用いる。
【００５１】
このエレベータ用表示器では、これらの発光ダイオードを各種導光板の下部に配置するために、まず複数の赤色発光ダイオード６４を横長のプリント基板２４の長辺に沿って一列に実装する。そしてこのプリント基板２４上の赤色発光ダイオード６４の実装エリアに沿わせて黄色発光ダイオード６５を一列に実装する。
【００５２】
発光ダイオード６４，６５を実装したプリント基板２４は黄色発光ダイオード６５の列における赤色発光ダイオード６４の列を向く側と反対側を壁２に向けて筐体１の下室に装填する。プリント基板２４上の赤色発光ダイオード６４および黄色発光ダイオード６５の間隔は第１導光板６４および第２導光板６５を前述した順番で筐体１の上室に装填してプリント基板２４を筐体１の下室に装填した場合に赤色発光ダイオード６４の上面が第１導光板５１の下端面と対向し、黄色発光ダイオード６５の上面が第２導光板５２の下端面と対向する間隔とする。
【００５３】
また、プリント基板２４上の赤色発光ダイオード６４の実装エリアおよび黄色発光ダイオード６５の実装エリアを区分するように遮光板２５が筐体１の仕切り板５の下面から下方に向かって取り付けられる。これにより筐体１の下室に装填したプリント基板２４上の赤色発光ダイオード６４からの光は第１導光板５１以外の導光板に照射されず、さらに黄色発光ダイオード６５からの光は第２導光板５２以外の導光板に照射されない。
【００５４】
図７は、本発明の第３の実施形態にしたがったエレベータ用表示器の内部回路の構成の概略の一例を示すブロック図である。  
乗場の壁２には外部から昇降路内部へ貫通する穴が設けられ、筐体１における壁２と接触する側板には壁２の穴と連なって当該筐体１の内部へ貫通する穴が設けられる。プリント基板２４上の赤色発光ダイオード６４および黄色発光ダイオード６５はプリント基板６４、リード線、筐体１の穴および壁２の穴を介して昇降路内の図示しないエレベータ制御盤と接続される。
【００５５】
プリント基板２４には赤色発光ダイオード６４および黄色発光ダイオード６５の他に入力回路６１、駆動回路６２および電源回路６３が実装される。電源回路６３は入力回路６１および駆動回路６２と接続される。また、電源回路６３は赤色発光ダイオード６４および黄色発光ダイオード６５の陰極と接続される。
【００５６】
図７では赤色発光ダイオード６４および黄色発光ダイオード６５は前述したようにプリント基板上２４に一列に並べたものを１つのユニットに簡略化して示す。
【００５７】
次に、本発明の第３の実施形態にしたがったエレベータ用表示器の動作について説明する。  
入力回路６１はエレベータ制御盤から立ち入り禁止の表示に関する制御信号を入力すると、電圧変換を経て駆動回路６２を動作させる。動作した駆動回路６２は赤色発光ダイオード６４の陽極および黄色発光ダイオード６６の陽極への信号入力を行なってこれらを点灯させる。
【００５８】
赤色発光ダイオード６４が点灯すると、この点灯により発光した光が第１導光板５１の下端面に照射され、この照射された光が凹凸パターン５３で反射して保護カバー３に照射される。また、黄色発光ダイオード６５が点灯すると、この点灯により発光した光が第２導光板５２の下端面に照射され、この照射された光が凹凸パターン５４で反射して保護カバー３に照射される。これにより立ち入り禁止マークの外枠および立ち入り禁止を示す文字がともに表示される。
【００５９】
以上説明したように、本発明の第３の実施形態にしたがったエレベータ用表示器は、筐体に複数種類の導光板を積層させて装填し、各導光板の下部に発光ダイオードを位置させた上で、照射対象の導光板の下部に位置する複数種類の発光ダイオードをともに点灯させることで、それぞれの導光板の凹凸パターンで示された図形や文字が組み合わされて表示面に表示されるようになる。
【００６０】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００６１】
【図１】本発明の第１の実施形態にしたがったエレベータ用表示器の構成例を示す図。
【図２】本発明の第１の実施形態にしたがったエレベータ用表示器の構成例を示す側面図。
【図３】本発明の第１の実施形態にしたがったエレベータ用表示器の内部回路の構成の概略の一例を示すブロック図。
【図４】本発明の第２の実施形態にしたがったエレベータ用表示器の内部回路の一部の構成の概略の一例を示すブロック図。
【図５】本発明の第３の実施形態にしたがったエレベータ用表示器の表示パターンの一例を示す図。
【図６】本発明の第３の実施形態にしたがったエレベータ用表示器の構成例を示す側面図。
【図７】本発明の第３の実施形態にしたがったエレベータ用表示器の内部回路の構成の概略の一例を示すブロック図。
【図８】従来のエレベータ用表示器の外観の一例を示す正面図。
【図９】従来のエレベータ用表示器の内部構成の一例を示す側面図。
【符号の説明】
【００６２】
１，７４…筐体、２…乗場壁面、３…保護カバー、４…側板、５，８１…仕切り板、１１，５１…第１導光板、１２，５２…第２導光板、１３…第３導光板、１４〜１６，５３，５４…凹凸パターン、２１…緑色発光ダイオード、２２，６４…赤色発光ダイオード、２３，６５…黄色発光ダイオード、２４…プリント基板、２５，２６…遮光板、３１…第１入力回路、３２…第２入力回路、３３…第３入力回路、３４…第１駆動回路、３５…第２駆動回路、３６…第３駆動回路、３７，６３…電源回路、４８…３色発光ダイオード、６１…入力回路、６２…駆動回路、７１…表面板、７２…上昇方向表示板、７３…下降方向表示板、７５，７７…白熱灯、７６，７８…ソケット、７９…電線、８０…駆動装置。
【図１】
2007076910.tif 000003
【図２】
2007076910.tif 000004
【図３】
2007076910.tif 000005
【図４】
2007076910.tif 000006
【図５】
2007076910.tif 000007
【図６】
2007076910.tif 000008
【図７】
2007076910.tif 000009
【図８】
2007076910.tif 000010
【図９】
2007076910.tif 000011